(57)【要約】【課題】  藻類の発生を防止するとともに悪臭の放散もなくすようにした藻類の発生防止装置を提供すること。【解決手段】  配水池・沈澱池・運河などを対象としその水面の全体あるいは一部に太陽光を遮る遮光面状体の複数個をそれぞれ浮力発生手段により水面よりも底面が浮くようにして配備したことを特徴とする。【選択図】  図２
2006167700.tif 000002
【特許請求の範囲】
【請求項１】
配水池・沈澱池・運河などを対象としその水面の全体あるいは一部に太陽光を遮る遮光面状体の複数個をそれぞれ浮力発生手段により水面よりも底面が浮くようにして配備したことを特徴とする藻類の発生防止装置。
【請求項２】
請求項１記載のものにおいて、遮光面状体は発泡樹脂で平面が矩形をした共通形状になっている藻類の発生防止装置。
【請求項３】
請求項１または２に記載のものにおいて、複数個の遮光面状体は、互いの間が隙間遮光材を備えて構成されている藻類の発生防止装置。
【請求項４】
請求項１から３までのいずれかに記載のものにおいて、複数個の遮光面状体は、互いに連結されてなる藻類の発生防止装置。
【発明の詳細な説明】
【技術分野】
【０００１】  本発明は、配水池や上水沈澱池、運河などを対象にした藻類の発生防止装置に関する。
【背景技術】
【０００２】  例えば、配水池には、上方開放型をしたものがあり、こうしたものでは太陽光が直接池面に作用するため藻類が多く発生し、問題であった。
【発明が解決しようとする課題】
【０００３】  ところで、こうした藻類の他に池全体が開放型であると、悪臭を発生するもとになり、そうした意味でもその対策が望まれていた。
上記に鑑み、本発明は、藻類の発生を防止するとともに悪臭の放散もなくすようにした藻類の発生防止装置を提供することを目的とする。
【課題を解決するための手段】
【０００４】  上記課題を解決するため、請求項１記載の発明は、配水池・沈澱池・運河などを対象としその水面の全体あるいは一部に太陽光を遮る遮光面状体の複数個をそれぞれ浮力発生手段により水面よりも底面が浮くようにして配備したことを特徴とする。
請求項２記載の発明は、請求項１記載のものにおいて、遮光面状体は発泡樹脂で平面が矩形をした共通形状になっている。
請求項３記載の発明は、請求項１または２に記載のものにおいて、複数個の遮光面状体は、互いの間が隙間遮光材を備えて構成されている。
請求項４記載の発明は、請求項１から３までのいずれかに記載のものにおいて、複数個の遮光面状体は、互いに連結されてなる。
【発明の効果】
【０００５】  本発明によれば、藻類の発生を防止するとともに悪臭の放散もなくすようにした藻類の発生防止装置を提供することができる。
【発明を実施するための最良の形態・実施例】
【０００６】  各実施形態で説明する内容は、他の実施形態にも適用がある。
図１および図２は、本発明に係る処理池の構造についての一実施形態を示す。
同実施形態は、配水池１についてのもので、上水などの沈澱池や運河等を対象とすることもある。この配水池１は、全体が鉄筋コンクリート造で、底壁２・側壁３・長手端壁４とを有した平面矩形状をなし、上方は開放型になっている。５は送水ポンプで、送水管６を通じて浄水池（図示省略）からの水を配水池１内に送り込み、一方、排水管７を通じて各家庭への配水をする。
尚、浄水池の上流側には、沈砂池→混和池→沈澱池→濾過池などが連設されている。
【０００７】  図１および図２において１０は遮光面状体で、平面矩形で一定厚みをもつ共通形状をしたもので、発泡樹脂のうち特に吸水率の極めて低い押出法ポリスチレンフォームにより形成されたものを使用している。この遮光面状体１０の底面には、浮子（浮力発生手段）１１…が図では４個四角なブロック状のものとして一体固着されている。各浮子１１も前記同様の押出法ポリスチレンフォームにより形成されたもので、遮光面状体１０の４つのコーナーに近い個所に点対称的に配備されている。
【０００８】  こうした浮子１１付き遮光面状体１０は、図２の矢印のように水位変動する水面１２に縦横整列して浮設するが、遮光面状体１０は、浮子１１…が底脚として存在するので浮上し、図２にｈで示すように全体が浮上するようになっている。遮光面状体１０が直接水に浸かる方式であると、その底部に水垢等が付着して増加し、これが原因で水質の悪化や遮光面状体１０自体の劣化による浮力減退を招くおそれがあるが、浮子１１を備えることでそうした問題はなくなる。
【０００９】  尚、前記遮光面状体１０は、簡略化のため個数を少なく図示してあるが、実際には配水池１の幅・長手長さが数十ｍであることが多いので、多数個配備されるものである。
また、遮光面状体１０は、配水池１の一部に１／２あるいは１／３の範囲で配備されているが、４／５あるいは３／４など、さらには全面的に配備することもある。
さらに、遮光面状体１０の合計幅と配水池１の幅（長手方向についても同様）が合致しないこともあり、その場合には、図示よりも幅の狭い遮光面状体１０や小ブロック状の遮光面状体などで埋め合わせをしたり、後述するようにゴム板の被着による寸法調整により池幅に合致させることができる。
また、遮光面状体１０の相互間には隙間が発生するが、これも後述するようにゴムなどの隙間遮光材を被せて対処する。
さらに、遮光面状体１０は勝手に浮動するが、その対策として、後述する相互連結方式を採用する。
また、遮光面状体１０は、上面をＦＲＰやＳＵＳなどで被覆強化してもよく、浮子１１を含む遮光面状体１０の外表面全体をＦＲＰなどで被覆強化することもできる。外表面全体をＦＲＰなどで被覆した場合には、太陽光に対する耐久度が向上するだけでなく吸水率を実質０にすることができる。吸水率を０にする場合、浮子１１のみをＦＲＰなどで被覆してもよい。
さらに、遮光面状体１０は、後述するが、構造用などの超軽量コンクリートとすることもある。
また、遮光面状体１０は正四角形を含むが、正六角形（ハニカム形）、正八角形などにしてもよい。
さらに、浮子１１を含む遮光面状体１０の全体は酸化チタンなどの触媒膜を付し、上面では大気の浄化機能を、また底面側では水の浄化機能を図ることができるようにしてもよい。
以上のことは後述する実施形態でも全て適用される。
【００１０】  図３およびそのＩＶ−ＩＶ線断面図である図４は、他の実施形態を示し、同実施形態の遮光面状体１５は、平面矩形で一様な厚みをもつ遮光面状体１５の複数個を底部に付した浮子１６…による浮力で水面１７より一定に高いレベルに確保したものであって、特に、遮光面状体１５の底面に、丸胴あるいは角胴状をした制御筒（浮力発生手段の一つ）１８を対称位置にバランス良く配し、設置後にバルブ１９で内気を一部抜くようにすることで底側に水が入るようにし、これにより、上側の内気が浮力発生として機能する一方において、台風、強風などが発生した際には底側に水が入っていることにより上方へ浮脱し難く安定化させるようにしたものである。
尚、浮子１６に代えて、全てをこれら制御筒１８で浮力発生手段を構成することができる。
【００１１】  遮光面状体の上面には、経時的に埃や雨水など雑多なものが溜まるおそれがあるとともに、積雪の可能性もある。そのことから、図５ないし図９に実施形態のようにする。
すなわち、図５および図６の実施形態は、浮子２１や制御筒２２を付した遮光面状体２３の上面部分を山（屋根）形状（一方向に斜面でもよい）にして埃や雨水などが流れ落ちやすいようにするとともに、積雪の場合にはその重さにより遮光面状体２３が沈むことで隙間２４を通じて下方からの水が雪を解かし得るようにしたものである。
尚、隙間２４の存在は藻の発生・繁殖を早めるため、それに対応して帯長ゴム板や接着シート、あるいは発泡樹脂板などの隙間遮光材２５を敷設して止着具２６で固定してもよい。そのため、遮光面状体２２の上面には、水平な設置面２７を備えてもよい。
また、遮光面状体２３の長手方向端部にも図５の左下図のような設置面２７を付してその相互間上に前記ゴム板２５に直交するような他のゴム板２５を配してもよい。
【００１２】  図７に示すように、上面全体を山形の斜面にして遮光面状体３０を構成してもよく、この場合、斜面に合わせてゴムシートなどの隙間遮光材３１を載せて止め付けるようにする。
【００１３】  図８に示すように、遮光面状体３３の底側に対応してその隙間３４を塞ぐように隙間遮光材３５を付してもよい。尚、遮光面状体３３は図示のようにかまぼこ形状にしてもよい。
【００１４】  図９のように、遮光面状体３７の高さ間に対向する溝３８を形成してその間に隙間遮光材３９を差し込むようにしてもよい。
【００１５】  図１０は、内壁（側壁や長手端壁など）４２に対し遮光面状体４３側に取り付けた凸曲がりゴムシート状の縁部隙間遮光材４４が接触するようにした実施形態を示す。この隙間遮光材４４の存在は太陽光が内壁４２と遮光面状体４３との隙間を通じて入り込むことを阻止し、藻の発生や繁殖を抑えるものである。こうした隙間遮光材４４を遮光面状体４３の全周に備えたものを１ユニットとしてそれら多数個でもって配備してもよい。
【００１６】  図１１は、ハの字状に拡がる一対の隙間遮光材４７で構成したものである。同隙間遮光材４７は上下いずれかでもよい。
【００１７】  図１２は、内壁４９側に隙間遮光材５０を配備して遮光面状体５１に当たるようにしたものであり、同隙間遮光材５０は、スライドしやすい樹脂やゴムなどでもよい。
尚、浮子５１は図示のように先窄まり状でもよい。
【００１８】  図１３は、遮光面状体５３の側面から下向きに垂れ下がるような隙間遮光材５４を備えたものである。
尚、遮光面状体５３の上面には、「水」のような標示５５を付しても良い。他の隙間遮光材５３にも標示を付すことで、例えば、「水をたいせつに！」などの標語を作ったり、花の絵や色分け模様にしてもよい。また、遮光面状体５３の上にはソーラーパネル（あるいはフィルム）５６を載置してもよいし、同パネル５６により前記標語や絵などを作ってもよい。さらに、ソーラーパネルを細長くして、隙間遮光材を兼ねるように構成してもよい。
【００１９】  図１４は、遮光面状体５８上に穴５９を形成してその中に植物入りのポット６０を設置するようにした実施形態を示す。この場合、ポット６０からの採水手段を遮光面状体５８を通じて水中に垂らしておいてもよい。
【００２０】  遮光面状体６３…は図１５の実線と仮想線のように上下に水位変動する。その際に遮光面状体６３…の全体が同時に上下運動するようにワイヤーロープや鉄パイプ、板などによる連結材６４…でつないでもよい。この連結材６４は、遮光面状体６３の底側に配してもよく、上下両面に配してもよい。６５は止着具である。
尚、同時に図示するように、台風などの強風により遮光面状体６３…が吹き飛ばないように、手摺６６などをアンカーに利用して池上面域に浮止条材６７を張設してもよい。
【００２１】  図１６は、遮光質の折版屋根用などの建築資材を遮光面状体７０としたもので、同遮光面状体７０の底部に右下図のような要領で浮子７１を付したものである。浮子７１は、遮光面状体７０の凸部底内に付してもよい。７２は連結を兼ねた隙間遮光材である。
【００２２】  図１７は、メッシュ材でなる芯材７５を同時成形して補強した発泡樹脂製の遮光面状体７６である。同メッシュ材７５は、内部に収まっているが、はみ出すようにしてその外縁部分の上に隙間遮光材を備え付けてもよい。軽量コンクリートに芯材７５を入れることもある。
【００２３】  図１８は、内部７８を発泡樹脂製としその外部７９をＦＲＰで被って一体成形してなる遮光面状体８０であり、この遮光面状体８０のさらに外面に光触媒を塗ってもよい。同遮光面状体８０には、仮想線のように、点検窓口８１を設けたり、水温計８２や他の測定器８３を付してもよい。
また、同時に図示したように、半球状（あるいは角ブロック状やその他の形状でもよい）浮子部分８４を一体成形することもできる。
【００２４】  図１９およびそのＬ−Ｌ線断面図である図２０は、浮子８６を有する遮光面状体８７…の相互連結方式の各種を示す。遮光面状体８７上の長手方向対称位置には、アイプレートによる連結受具８８が止め付けられ、これらを通してワイヤーロープやロッドなどによる連結材８９が挿通されて止着具９０により相互連結されるようになっている。
アングルプレートなどの連結具９１により相互連結してもよい。また、仮想線のようにコーナー連結具９２により連結するようにしてもよい。
尚、図２０に同時に示すように、ソーラーでも駆動可能な送風機９３からの送気を遮光面状体８７と水面との間に流し込んで空気溜まりを送り出すようにしてもよい。９４は排風機である。
また、図示では浮子８６が各コーナーに配備されて互いに寄せ合わさるようになっているが、この合わさることを利用して互いに吸着可能な関係でマグネット９５…を組み込んでおいてもよい。尚、９６はＦＲＰ層で、遮光面状体８７の上面に設けられている。
【００２５】  図２１は、遮光面状体９７…の上方に一方向斜め式に受ガイドシート９８を備えておき、その下がり傾斜端部に収集樋９９を備えつけて大気中ガス分や雨水などが樋９９に集められてポンプ１００で排除されるようにすることで遮光面状体９７などを護るようにしてもよい。
【００２６】  図２２および図２３は、配水池１０２の水面１０３上に遮光面状体１０４…を配備するに際しての施工専用車両の一例を示す。遮光面状体１０４は、底部に浮子１０５と制御筒１０６を備える一方、上面には、前記アイプレートなどの連結受具１０７を配備してワイヤーロープなどの連結条材１０８により相互連結可能にしてある。また、コーナー連結具１０９によっても連結可能にしてある。
【００２７】  こうした遮光面状体１０４の上面には、長手方向に対（４個を１組としてもよい）をなすようにフック掛け具１１１が突設され、これに前記車両からのフック１１２を掛けていけ上から水面１０３上へと搬入しまた搬出も可能にしてある。
【００２８】  施工専用車両は、キャスタ１１４…付きの機体１１５を備えて図２２のように平面上如何なる方向にも機体１１５を移動可能としてある。同実施形態では手動で移動するがモーターで移動可能にしてもよい。同機体１１５には、回転自在でロックも可能な旋回盤１１６を備えてその上に回転支柱１１７を立設するとともに、支柱１１７の上端には進退ロックレバー１１８を備えた進退受筒１１９を備えてある。
【００２９】  進退受筒１１９には、外ブーム１２０と内ブーム１２１の二重構造でなる伸縮機構が全体として矢印Ｘ１のように進退自在に挿通支持されている。外ブーム１２０の先端には、前後駆動モーター１２３が正逆駆動可能に設けられて、その軸上の第１ピニオン１２４が内ブーム１２１の底面である水平ラックに連動自在に噛み合うことで矢印Ｘ２のように内ブーム１２１が独自に進退するようになっている。内ブーム１２１の先端には、垂直軸状のガイド筒１２７が設けられ、その中で昇降ラックバー１２８が矢印Ｙのように上下運動できるようにされているとともに、同ラックバー１２８に噛み合う第２ピニオン１２９を備えた上下駆動モーター１３０がガイド筒１２７に取り付けられている。
【００３０】  前記ラックバー１２８の下端を介して平面矩形枠とした作業台１３１が水平に取り付けられている。この作業台１３１の中央広い部分は歩み台１３２とされ、その両端は作業通口１３３を明けてある。同作業台１３１の側縁からは安全のための握りバー１３４が立設されて作業者がこれを掴んで昇降などが可能になっているとともに、同バー１３４の上には進退や昇降などの操作が作業者の手によって自らできるように操作盤１３５が設けられている。なお、回転支柱１１７も操作盤１３５から矢印Ｒのように正逆に操作可能にしてもよい。
【００３１】  遮光面状体１０４は池上に用意され、図示の状態から回転支柱１１７を回して作業台１３１が池上の遮光面状体１０４上に対応するようにする。そして、フック１１２を遮光面状体１０４の各フック掛け具１１１に掛け止めてのち、回転支柱１１７を回して作業台１３１および遮光面状体１０４が池上方向にくるようにするとともに、必要に応じて外ブーム１２０を進退させてロックしておく。それと相前後して作業者が作業台１３１上に載り掛かるようにする。作業者は握りバー１３４を掴んで安全を図るようにするとともに、操作盤１３５への操作により２つの駆動モーター１２３，１３０を駆動操作することで目的とする水面域へと遮光面状体１０４を運ぶようにする。
【００３２】  遮光面状体１０４が水面１０３上の所定の位置にくると、作業者は、フック１１２からフック掛け具１１１を外す。これは作業通口１３３を通じて簡単に行える。作業通口１３３周りにも安全柵を設けてもよい。これでさらに作業台１３１を移動させて作業通口１３３が遮光面状体１０４のコーナーに対応するようにすることで作業通口１３３を通じてコーナー連結具１０９により遮光面状体１０４相互を連結するようにする。こうして全ての敷設と連結が終了したあと、作業台１３１の位置制御により連結受具１０７…に連結条材１０８を通し掛けるようにする。図２２および図２３に仮想線で示すように、施工専用車両は、池の対岸に移動したりして施工が行われる。尚、１２２は移動型のバランサである。
【００３３】  図２４（配水池の横断面図）は、施工方法についての実施形態で、その目的とするところは、遮光面状体１３８を水面上で配列・連結するのでなく水抜きをした池底１３９における作業により予め配列・連結して施工を完了しておき、あとは注水して浮上させることで全ての施工を終えるようにしたものである。池底１３９の両端は直角である場合と図示のようにハンチ部１４０を有する場合とがあるが、こうしたハンチ部１４０を有する場合には、少し水を残してやや高い位置で遮光面状体１３８の配列・連結の作業をすればよい。ハンチ部１４０がない場合でも水を少し残して配列・連結などの作業をすることで浮く力をうまく利用して迅速確実に作業を遂行することができる。遮光面状体１３８には光触媒を塗布することができる。
【００３４】  図２５は、配水池の平面図で、同配水池には、多数の遮光面状体１４２…が配備されて藻および防臭対策としてあるが、その一部を丸（あるいは三角形）の大蓋１４３とし、同蓋１４３に模様などを付してもよい。この蓋１４３は回転させたり、ソーラーを付したりすることができる。尚、１４４は通穴で、図２４のように施工をする際に作業者が池底に潜ったりあるいは抜け出したりして連結などの作業を円滑に進めるための穴である。また、１４５はソーラーパネルで、遮光面状体１４２上に配備してある。
【００３５】  図２６は、作業上あるいはメンテナンスのための通路を遮光面状体１４２それ自体の上面で構成するとともにその左右に手摺１４８を張って安全確保をしてある実施形態である。
【００３６】  図２７は、発泡樹脂による遮光面状体１５０と軽量コンクリートによる遮光面状体１５１とを組み合わせて配列したものである。これらは段差１５２を備えて形成し、隣合うものが逆向きの段差１５２により相互に組み合うようにしてもよい。この段差１５２間は止め付けてもよい。段差１５２は遮光機能をする。
【図面の簡単な説明】
【００３７】
【図１】本発明の一実施形態を示す配水池の平面図。
【図２】図１のＩＩ−ＩＩ線断面図。
【図３】他の実施形態を示す平面図。
【図４】図３のＩＶ−ＩＶ線断面図。
【図５】他の実施形態を示す平面図。
【図６】図５のＶＩ−ＶＩ線断面図。
【図７】他の実施形態を示す側面図。
【図８】他の実施形態を示す側面図。
【図９】他の実施形態を示す側面図。
【図１０】他の実施形態を示す側面図。
【図１１】他の実施形態を示す側面図。
【図１２】他の実施形態を示す側面図。
【図１３】他の実施形態を示す斜視図。
【図１４】他の実施形態を示す斜視図。
【図１５】他の実施形態を示す斜視図。
【図１６】他の実施形態を示す斜視図。
【図１７】他の実施形態を示す斜視図。
【図１８】他の実施形態を示す斜視断面図。
【図１９】他の実施形態を示す平面図。
【図２０】図１９のＬ−Ｌ線断面図。
【図２１】他の実施形態を示す側面図。
【図２２】図２３の平面図。
【図２３】図２２の側断面図。
【図２４】他の実施形態を示す横断面図。
【図２５】他の実施形態を示す平面図。
【図２６】図２５のＭ−Ｍ線断面図。
【図２７】他の実施形態を示す側面図。
【符号の説明】
【００３８】  １…配水池  １０，１５，３０，３３，３７，４３，５３，５８，６３，７０，７６，８０，８７，９７，１０４，１３８…遮光面状体  １１，１６，２１，５１，７１、８４、８６，１０５…浮子  ２５，３１，３５，３９，４４，５０，５４，７２…隙間遮光材
【図１】
2006167700.tif 000003
【図２】
2006167700.tif 000004
【図３】
2006167700.tif 000005
【図４】
2006167700.tif 000006
【図５】
2006167700.tif 000007
【図６】
2006167700.tif 000008
【図７】
2006167700.tif 000009
【図８】
2006167700.tif 000010
【図９】
2006167700.tif 000011
【図１０】
2006167700.tif 000012
【図１１】
2006167700.tif 000013
【図１２】
2006167700.tif 000014
【図１３】
2006167700.tif 000015
【図１４】
2006167700.tif 000016
【図１５】
2006167700.tif 000017
【図１６】
2006167700.tif 000018
【図１７】
2006167700.tif 000019
【図１８】
2006167700.tif 000020
【図１９】
2006167700.tif 000021
【図２０】
2006167700.tif 000022
【図２１】
2006167700.tif 000023
【図２２】
2006167700.tif 000024
【図２３】
2006167700.tif 000025
【図２４】
2006167700.tif 000026
【図２５】
2006167700.tif 000027
【図２６】
2006167700.tif 000028
【図２７】
2006167700.tif 000029